(57)【特許請求の範囲】
【請求項１】
周面の側板４枚、天板１枚及び底板１枚の各部材を嵌め込みにより組立てられる箱状の樹脂製ボックスであって、前記側板は可撓性を示す薄板の一側に１以上の横溝で区画された複数の柱状係合突部を有し、該可撓性を示す薄板の他側に板状の横リブにより区画された前記柱状係合突部と緊密に係合可能な柱状係合穴を有し、該柱状係合穴を構成する内側の壁は、板状の縦リブであり、前記横溝に前記横リブが入り、該柱状係合突部と該柱状係合穴が緊密に係合してなることを特徴とするステージボックス。
【請求項２】
前記側板の薄板の上端部には、天板と嵌合する側壁部を有し、前記天板は、周面が側壁部であり、該側板の側壁部の外側及び両側に形成された段差に、該天板の側壁部の内側に形成された係合鉤部が係止してなることを特徴とする請求項１記載のステージボックス。
【請求項３】
前記天板の上面には、格子状の嵌合溝が形成され、該嵌合溝の巾寸法は、底板の側壁部の厚みの２倍程度であることを特徴とする請求項１又は２記載のステージボックス。
【発明の詳細な説明】
【０００１】
【発明の属する技術分野】
本発明は、スーパー、百貨店、専門店、コンビニエンスストアー等の店内で商品を陳列するのに用いられるステージボックスに関するものである。
【０００２】
【従来の技術】
従来、スーパー等の店内での商品陳列方法は、それにより商品の売れ行きが左右されることが多いため、種々の工夫を凝らした方法が採られ、その模様替えも頻繁に行われている。特に、その日の特売品などは店の入口、あるいはエレベーターの乗換付近に大面積を採り、四方から顧客がアクセスできるよう、大きなステージ状の陳列台を設置して行われる。
【０００３】
このような大きなステージ状の陳列台は、運搬や保管等を考慮して、ボックス状の台、すなわち、ステージボックスを幾つも用意し、これを縦横に並べて基礎部を形成させ、その上に必要であれば、陳列台を置きセットされる。
【０００４】
【発明が解決しようとする課題】
しかしながら、従来のステージボックスは強度を保つ必要から、木製のものが多い。このようなステージボックスは重くなると共に、保管スペースを採る。また、分解可能なものであっても、組立ての際、組立て工具が必要であったり、組立てが複雑なものであった。このため、組立て専門の作業者や技術者に設営を依頼する必要があり、経費が嵩む原因となっていた。また、店内の従業員で行うにしても面倒な作業であった。
【０００５】
従って、本発明の目的は、組立て工具が不要で、組立て作業が極めて簡単であり、且つ軽量で十分な強度を有する樹脂製ステージボックスを提供するものである。
【０００６】
【課題を解決するための手段】
かかる実情において、本発明者は鋭意検討を行った結果、周面の側板４枚、天板１枚及び底板１枚の各部材を嵌め込みにより組立てられる構造であって、更に側板の左右端部には、柱状係合突部と該柱状係合突部と緊密に係合可能な柱状係合穴をそれぞれ設け、嵌め込み後は、前記柱状係合突部と前記柱状係合穴で四隅の柱を形成するようにすれば、例え、側板や底板の面部が可撓性を示すような薄板で構成しても、十分な強度なものが得られることなどを見出し、本発明を完成するに至った。
【０００７】
すなわち、請求項１記載の発明は、周面の側板４枚、天板１枚及び底板１枚の各部材を嵌め込みにより組立てられる箱状の樹脂製ボックスであって、前記側板は可撓性を示す薄板の一側に１以上の横溝で区画された複数の柱状係合突部を有し、該可撓性を示す薄板の他側に板状の横リブにより区画された前記柱状係合突部と緊密に係合可能な柱状係合穴を有し、該柱状係合穴を構成する内側の壁は、板状の縦リブであり、前記横溝に前記横リブが入り、該柱状係合突部と該柱状係合穴が緊密に係合してなることを特徴とするステージボックスを提供するものである。かかる構成を採ることにより、組立て工具が不要で、組立て作業が極めて簡単である。また、嵌合後、ひとつの柱状係合突部は、柱状の周面と上下面が柱状係合穴と緊密に当接しているため十分な強度を有する。また、側板や底板の面部は可撓性を示すような薄板で構成できるためボックス全体が軽量である。従って、該ステージボックスを数十個使用するような大がかりな陳列台の設営も楽に行える。また、分解後は、６個の平板状部材となるから、運搬や保管が容易である。
【０００８】
請求項２記載の発明は、前記側板の薄板の上端部には、天板と嵌合する側壁部を有し、前記天板は、周面が側壁部であり、該側板の側壁部の外側及び両側に形成された段差に、該天板の側壁部の内側に形成された係合鉤部が係止してなるステージボックスを提供するものである。かかる構成を採ることにより、前記発明と同様の効果を奏する他、一層の強度が高まる。
【０００９】
請求項３記載の発明は、前記天板の上面には、格子状の嵌合溝が形成され、該嵌合溝の巾寸法は、底板の側壁部の厚みの２倍程度であるステージボックスを提供するものである。かかる構成を採ることにより、前記発明と同様の効果を奏する他、ステージボックスの上に更に他のステージボックスを設置できるため、ボリュー感を与える陳列の演出が可能となる。
【００１０】
【発明の実施の形態】
次に、本発明の実施の形態におけるステージボックスを図１〜図５を参照して説明する。図１は本実施の形態におけるステージボックスの斜視図、図２は図１の分解図、図３は側板同士の係合状態を説明する図、図４（Ａ）は図１の端部近傍で切断して見た一部の断面図、図４（Ｂ）は（Ａ）中、記号Ｘの拡大図、図４（Ｃ）は（Ａ）中、記号Ｙの拡大図、図５はステージボックスの使用状態図である。但し、図４中、柱状係合突部の記載は省略した。
【００１１】
ステージボックス１０は、周面の側板４枚、天板１枚及び底板１枚の各部材を嵌め込みにより組立てられるポリプロピレン樹脂製箱体である。本実施の形態例では側板４枚は全て同一形状である。側板１は周面が側壁部１２ａ、側板天板１２ｂを有し、底面が開口する蓋状であって、左右両側の一側には３個の横溝１４で区画された４個の柱状係合突部１３を有する。柱状係合突部１３は断面が扇状であり、内側部となる底面は同様に開口している。左右両側の他側は柱状係合突部１３と緊密に係合可能な形状であって、３個の補強用横リブ１７により区画される４個の柱状係合穴１６を有している。補強用横リブ１７は柱状係合突部１３と柱状係合穴１６の係合の際、横溝１４に入り込むようになっている。
【００１２】
側板の上端部及び下端部には、天板２及び底板３とそれぞれ嵌合し、且つ補強を兼ねた上面突状部１８ａ及び下面突状部１８ｂを形成している。天板２と嵌合する上面突状部１８ａは、内側面が開口し、高さは天板の側壁部２３の高さより低く、外側と両側には、係合突起を設けて段差１９ａを付け、天板２の押し込みの嵌合により天板２の側壁部の係合鉤部２２が係止めされるようにしている。底板３と嵌合する下面突状部１８ｂは、内側面が開口し、高さは底板の側壁部３３の高さより低く、外側と両側には、係合突起を設けて段差１９ｂを付け、底板３の押し込みの嵌合により底板３の側壁部の係合鉤部３２が係止めされるようにしている。
【００１３】
天板２は、周面が側壁部２３、天板部２２ｂを有し、底面が開口する蓋状であって、天板部２２ｂの周面のヘリにＬ溝２５と、側壁部２３の先端部に係合鉤部２２を形成している。また、天板部２２ｂの上面には、格子状の嵌合溝２１が形成され、嵌合溝２１の巾寸法は、底板の側壁部３３の厚みよりやや大きめ、具体的には２倍程度、特に１．３〜２．５倍として、同形状の他のステージボックスの安定した載置を確保している。
【００１４】
底板２は、周面が側壁部３３、底板部３２ｂを有し、上方が開口すると共に、側壁部３３は底板部３２ｂより下方へ僅かに突出して、天板の格子状の嵌合溝２１に積み重ね可能に突状片３２ｃを形成した蓋状である。また、側壁部３３の上方先端部の一部に係合鉤部３２を形成している。
【００１５】
周面の側板４枚、天板１枚及び底板１枚の各部材を嵌め込みによりステージボックス１０を組立てるには、先ず、側板４枚を互いに係合せしめて周面を形成する。すなわち、図３に示すように、一方の側板１の柱状係合突部１３と、他方の側板１の柱状係合穴１６を、双方の側板１が互いに直角となるように対向させる。次いで、一方の側板１の柱状係合突部１３を他方の側板１の柱状係合穴１６に嵌め込む。この時、他方の側板１の補強横リブ１７は一方の側板１の横溝１４に入り込む。これにより、一方の側板１の柱状係合突部１３と他方の側板１の柱状係合穴１６は緊密状態で係合し、補強横リブ１７を途中に介しているため、柱状係合突部１３と柱状係合穴１６でボックスの柱１１を形成できると共に、十分な強度が得られる。次いで、この組付けを他の２個の側板１についても同様に行う。嵌め込み後は、前記柱状係合部と前記柱状係合穴で四隅の柱を形成することができる。更に、上方端の上面突状部１８ａは面を同一とする連続した四角状を形成でき、下方端の下面突状部１８ｂは面を同一とする連続した四角状を形成できる。次いで、底板３を開口を上方にして置き、上記周面体を底板３に嵌め込む。この時、底板３の側壁部３３の係合鉤部３２が上記周面体の係合突起を乗り越えて段差１９ｂに係合するように行う（図４（Ｃ））。一方、天板２を上記周面体に嵌め込む。この時、天板２の側壁部２３の係合鉤部２２が上記周面体の係合突起を乗り越えて段差１９ａに係合するように行う（図４（Ｂ））。これにより、ステージボックス１０が出来上がる。
【００１６】
ステージボックス１０は、図５に示すように、通常、複数個を前後方向、左右方向に適宜選択して並べて使用される。必要であれば、その上に商品５０を載置する商品載置台３０を設置して陳列台２０を形成する。また、必要に応じて、複数のステージボックス１０の上に、更にステージボックス１０を載置してもよい。この場合、下のステージボックス１０の天板に形成された格子状の嵌合溝２１に上方のステージボックス１０の側壁部３３を嵌め込めばよい。
【００１７】
ステージボックス１０は、６枚の部材の嵌め込みで組立てられるから組立て工具が不要で、組立て作業が極めて簡単である。側板や底板の面部は可撓性を示すような薄板で構成したとしても、十分な強度を有すると共に、軽量である。また、分解後は、６個の平板状部材となるから、運搬や保管が容易である。また、ステージボックスを数十個使用するような大がかりな陳列台の設営も楽に行える。
【００１８】
【発明の効果】
請求項１記載の発明によれば、組立て工具が不要で、組立て作業が極めて簡単である。また、嵌合後、ひとつの柱状係合突部は、柱状の周面と上下面が柱状係合穴と緊密に当接しているため十分な強度を有する。また、側板や底板の面部は可撓性を示すような薄板で構成できるためボックス全体が軽量である。従って、該ステージボックスを数十個使用するような大がかりな陳列台の設営も楽に行える。また、分解後は、６個の平板状部材となるから、運搬や保管が容易である。
【００１９】
請求項２記載の発明によれば、前記発明と同様の効果を奏する他、一層の強度が高まる。請求項３記載の発明によれば、ステージボックスの上に更に他のステージボックスを設置できるため、ボリュー感を与える陳列の演出が可能となる。
【図面の簡単な説明】
【図１】本実施の形態におけるステージボックスの斜視図である。
【図２】図１の分解図である。
【図３】側板同士の係合状態を説明する図である。
【図４】（Ａ）は図１の端部近傍で切断して見た一部の断面図、（Ｂ）は（Ａ）中、記号Ｘの拡大図、（Ｃ）は（Ａ）中、記号Ｙの拡大図である。
【図５】本実施の形態におけるステージボックスの使用状態図である。
【符号の説明】
１            側板
２            天板
３            底板
１０            ステージボックス
１１            柱
１２ａ          側板側壁部
１２ｂ          側板天板
１３            柱状係合突部
１４            横溝
１５            切り欠き部
１６            柱状係合穴
１７            補強用横リブ
１８ａ          上面突状部
１８ｂ          下面突状部
１９ａ、１９ｂ  段差
２１            嵌合溝
２２ｂ          天板の天板部
２３            天板側壁部
２５            Ｌ溝
３２            係合鉤部
３２ｂ          底板の底板部
３３            底板側壁部
【図１】
0004766533.tif 000002
【図２】
0004766533.tif 000003
【図３】
0004766533.tif 000004
【図４】
0004766533.tif 000005
【図５】
0004766533.tif 000006